(57)【要約】【課題】ドレープ性のある布帛のカーテンのような優美な仕上がりにすることができ、しかも今までに無い優れた遮光性および断熱性を得ることができるカーテン構造とそれに使用するカーテンとを提供する。【解決手段】窓２の室内側にカーテン１を設けて構成されるカーテン構造であって、カーテン１は、発泡樹脂層１１の窓と対向する外面に金属箔層１２が設けられ、室内側の内面に布帛層１３が設けられ、カーテン１は、その周縁部のうち、少なくとも上辺および下辺の何れか一方が、当該カーテン１を窓２に設けた状態で、これら上辺および下辺と対向する、窓の上辺対向部および下辺対向部と接して設けられ、カーテン１と窓２との間の空間Ｓのうち、少なくとも上部または下部が、室内空間Ｒと連通しないようになされたものである。【選択図】図１
2016152031.tif 000002
【特許請求の範囲】
【請求項１】
窓の室内側にカーテンを設けて構成されるカーテン構造であって、
カーテンは、発泡樹脂層の窓と対向する外面に金属箔層が設けられ、室内側の内面に布帛層が設けられてなり、
カーテンは、その周縁部のうち、少なくとも上辺および下辺の何れか一方が、当該カーテンを窓に設けた状態で、これら上辺および下辺と対向する、窓の上辺対向部および下辺対向部と接して設けられ、
カーテンと窓との間の空間のうち、少なくとも上部または下部が、室内空間と連通しないようになされたことを特徴とするカーテン構造。
【請求項２】
カーテンを窓に設けた状態で、これら上辺および下辺と対向する、窓の上辺対向部および下辺対向部が、窓、窓枠、額縁あるいは内壁である請求項１記載のカーテン構造。
【請求項３】
カーテンは、その周縁部のうち、少なくとも上辺および下辺の何れか一方の端部に係止孔が設けられ、
当該カーテンを窓に設けた状態で、これら上辺および下辺と対向する、窓の上辺対向部および下辺対向部に、前記係止孔に対応して係止片が設けられ、
当該係止片に、カーテンの係止孔が係止されることによって、
カーテンの少なくとも上辺および下辺の何れか一方が、対応する窓の上辺対向部および下辺対向部と接する請求項１または２記載のカーテン構造。
【請求項４】
カーテンは、その周縁部のうち、少なくとも上辺および下辺の何れか一方と、
当該カーテンを窓に設けた状態で、これら上辺および下辺と対向する、窓の上辺対向部および下辺対向部との間に、面ファスナが設けられ、これら面ファスナが接合することによって、
カーテンの少なくとも上辺および下辺の何れか一方が、対応する窓の上辺対向部および下辺対向部と接する請求項１または２記載のカーテン構造。
【請求項５】
カーテンは、上辺の両端部に設けられた係止孔より下であって、左右辺に沿った同じ高さ位置に高さ調整用の調整孔が設けられ、
窓の室内側の上辺対向部に設けた係止片に係止された状態で、さらに係止孔の上から調整孔を係止させることによって、折線が左右方向に延びるようにカーテンを折り返した状態として、窓の下部を開放して窓の上部を覆うように設けられるように構成された請求項３記載のカーテン構造。
【請求項６】
窓の両側部の中間部あるいはこの中間部と上部との間に係止片または係止金具が設けられ、
固定係止片または係止金具に係止孔が係止された状態で、さらに調整孔を係止させることによって、折線が左右方向に延びるようにカーテンを折り重ねた状態として、窓の一部を開放するように窓を覆うように設けられるように構成されている請求項３または５記載のカーテン設置構造。
【請求項７】
厚さ０．８ｍｍ〜２．０ｍｍの発泡樹脂層の一方の面に厚さ１０μｍ〜１４μｍの金属箔層が設けられ、他方の面に目付２０ｇ／ｍ２〜６０ｇ／ｍ２の布帛層が設けられ、４５度カンチレバー法（ＪＩＳ  Ｌ１０９６）による押出距離が２００ｍｍ以下となされたカーテンと、
このカーテンの周縁部のうち、少なくとも上辺および下辺の何れか一方と、当該カーテンを窓に設けた状態で、これら上辺および下辺と対向する、窓の上辺対向部および下辺対向部との間に設けられる面ファスナとからなることを特徴とするカーテンセット。
【請求項８】
厚さ０．８ｍｍ〜２．０ｍｍの発泡樹脂層の一方の面に厚さ１０μｍ〜１４μｍの金属箔層が設けられ、他方の面に目付２０ｇ／ｍ２〜６０ｇ／ｍ２の布帛層が設けられ、４５度カンチレバー法（ＪＩＳ  Ｌ１０９６）による押出距離が２００ｍｍ以下となされ、その周縁部のうち、少なくとも上辺および下辺の何れか一方の端部に係止孔が設けられたカーテンと、
当該カーテンを窓に設けた状態で、これら上辺および下辺と対向する、窓の上辺対向部および下辺対向部に前記係止孔に対応して設けられ、当該カーテンの係止孔が係止されることで、当該カーテンの少なくとも上辺および下辺の何れか一方を、対向する窓の上辺対向部および下辺対向部と接触させる傾斜係止片を有する係止具とからなることを特徴とするカーテンセット。
【請求項９】
カーテンの布帛層は、吸放湿発熱繊維を含み、カーテンの金属箔層のさらに上面に、メッシュ層が形成され、
メッシュ層は、吸放湿発熱性繊維を含む請求項８記載のカーテンセット。
【発明の詳細な説明】
【技術分野】
【０００１】
本発明は、遮光性および断熱性に優れたカーテン構造と、それに使用するカーテンセットに関するものである。
【背景技術】
【０００２】
一般に、居住空間の窓にはカーテン、ブラインド、ロールスクリーンなどが設けられている。このような居住空間の窓は、当該窓を介して屋外と接しているだけであるため、夏季には、屋外からの直射日光が窓を介して屋内に照射されることにより室内が高温となり、冬季には、屋外の冷気によって冷却された窓からの輻射冷熱によって室内が冷却されることとなる。したがって、このような窓に設けられるカーテン等によって、遮光したり、断熱したりすることで、夏季や冬季の居住空間の快適性を保つことが行われている。【０００３】
従来より、遮光性や断熱性に優れたブラインドとして、スラットの外表面に、支持シートとアルミニウムシートとを積層した厚さ約２５μｍの遮熱シートを配設して構成されたブラインドが提案されている（例えば、特許文献１参照）。【０００４】
また、遮光性や断熱性に優れたインテリア用のシートとして、布帛の一方表面に金属蒸着層を形成し、他方表面にウレタン樹脂層を形成した防炎性シート材が提案されている（例えば、特許文献２参照）。
【先行技術文献】
【特許文献】
【０００５】
【特許文献１】特開２０１２−２０２１９８号公報
【特許文献２】特開平７−１６１４４号公報
【発明の概要】
【発明が解決しようとする課題】
【０００６】
しかし、上記従来のブラインドの場合、硬質のスラットに遮熱シートを配設して構成しているため、ドレープ性のある通常の布帛のカーテンのような優美な感じに仕上げることができず、居住空間が無機質な仕上がりになってしまうので、使用できる居室空間が限定されるとの不都合があった。また、スラットの動きを邪魔しないように、遮熱シートを極薄に形成しなければならないため、十分な断熱性を確保することができない。【０００７】
また、上記従来の防炎性シート材の場合、布帛の一方表面に金属蒸着層を形成しているが、布帛を基材として金属蒸着をしただけでは、十分な遮光性が得られない。また、布帛の他方表面にウレタン樹脂層を形成しているため、室内からは、ウレタン樹脂層の外観となるため、高級感が得られず、やはり通常の布帛のカーテンのような優美な感じに仕上げることができず、使用できる居室空間が限定されるとの不都合があった。また、布帛のカーテンの場合、カーテン自体が、適度に室内の湿気を吸湿したり放湿したりすることとなるが、ウレタン樹脂層が形成されているため、このような調湿効果が得られず、逆にウレタン樹脂層の表面に結露水が発生してカビ発生の原因になったりするといった不都合を生じることとなる。【０００８】
さらに、上記従来のブラインドや防炎性シートを、通常のカーテン構造のように施工した場合、カーテンと窓との間の窓際空間と、室内空間との間の温度差が大きくなるため、カーテンと窓との間の窓際空間の間隙から出入りする暖気およびまたは冷気の流れが激しくなり、室内空間は、断熱性が生かされないばかりか、逆に激しくなる暖気や冷気によって冷暖房効率が損なわれることとなる。【０００９】
本発明は、係る実情に鑑みてなされたものであって、布帛のカーテンのような優美な仕上がりにすることができ、しかも今までに無い優れた遮光性および断熱性を得ることができるカーテン構造とそれに使用するカーテンセットとを提供することを目的としている。
【課題を解決するための手段】
【００１０】
上記課題を解決するための本発明に係るカーテン構造は、窓の室内側にカーテンを設けて構成されるカーテン構造であって、カーテンは、発泡樹脂層の窓と対向する外面に金属箔層が設けられ、室内側の内面に布帛層が設けられてなり、カーテンは、その周縁部のうち、少なくとも上辺および下辺の何れか一方が、当該カーテンを窓に設けた状態で、これら上辺および下辺と対向する、窓の上辺対向部および下辺対向部と接して設けられ、カーテンと窓との間の窓際空間のうち、少なくとも上部または下部が、室内空間と連通しないようになされたものである。【００１１】
上記カーテン構造において、カーテンを窓に設けた状態で、これら上辺および下辺と対向する、窓の上辺対向部および下辺対向部が、窓、窓枠、額縁あるいは内壁であるようにしてもよい。【００１２】
上記カーテン構造において、カーテンは、その周縁部のうち、少なくとも上辺および下辺の何れか一方の端部に係止孔が設けられ、当該カーテンを窓に設けた状態で、これら上辺および下辺と対向する、窓の上辺対向部および下辺対向部に、前記係止孔に対応して係止片が設けられ、当該係止片に、カーテンの係止孔が係止されることによって、カーテンの少なくとも上辺および下辺の何れか一方が、対応する窓の上辺対向部および下辺対向部と接するものであってもよい。【００１３】
上記カーテン構造において、カーテンは、その周縁部のうち、少なくとも上辺および下辺の何れか一方と、当該カーテンを窓に設けた状態で、これら上辺および下辺と対向する、窓の上辺対向部および下辺対向部との間に、面ファスナが設けられ、これら面ファスナが接合することによって、カーテンの少なくとも上辺および下辺の何れか一方が、対応する窓の上辺対向部および下辺対向部と接するものであってもよい。【００１４】
上記カーテン構造において、カーテンは、上辺の両端部に設けられた係止孔より下であって、左右辺に沿った同じ高さ位置に高さ調整用の調整孔が設けられ、窓の室内側の上辺に設けた係止片に係止された状態で、さらに係止孔の上から調整孔を係止させることによって、折線が左右方向に延びるようにカーテンを折り返した状態として、窓の下部を開放して窓の上部を覆うように設けられるようになされたものであってもよい。【００１５】
上記カーテン構造において、窓の両側部の中間部あるいはこの中間部と上部との間に係止片または係止金具が設けられ、固定係止片または係止金具に係止孔が係止された状態で、さらに調整孔を係止させることによって、折線が左右方向に延びるようにカーテンを折り重ねた状態として、窓の一部を開放するように窓を覆うように設けられるように構成されるようになされたものであってもよい。【００１６】
上記課題を解決するための本発明に係るカーテンセットは、厚さ０．８ｍｍ〜２．０ｍｍの発泡樹脂層の一方の面に厚さ１０μｍ〜１４μｍの金属箔層が設けられ、他方の面に目付２０ｇ／ｍ２〜６０ｇ／ｍ２の布帛層が設けられ、４５度カンチレバー法（ＪＩＳ  Ｌ１０９６）による押出距離が２００ｍｍ以下となされ、その周縁部のうち、少なくとも上辺および下辺の何れか一方の端部に係止孔が設けられたカーテンと、当該カーテンを窓に設けた状態で、これら上辺および下辺と対向する、窓の上辺対向部および下辺対向部に、前記係止孔に対応して設けられ、当該カーテンの係止孔が係止されることで、当該カーテンの少なくとも上辺および下辺の何れか一方を、対向する窓の上辺対向部および下辺対向部と接触させる傾斜係止片を有する係止具とからなるものである。【００１７】
この場合、係止具の上部に既存の昇降装置を別途設け、この昇降装置によって自在にカーテンを昇降させることができる。【００１８】
上記カーテンセットにおいて、カーテンの布帛層は、吸放湿発熱繊維を含み、カーテンの金属箔層のさらに上面に、メッシュ層が形成され、メッシュ層は、吸放湿発熱性繊維を含むものであってもよい。
【発明の効果】
【００１９】
以上述べたように、本発明によると、発泡樹脂層のカーテンの窓と対向する外面に金属箔層を設けているので、当該金属箔層が、太陽光を反射して室内が高温になるのを防止するとともに、輻射冷熱を反射して室内が冷却されるのを防止することができる。また、カーテンは、その周縁部のうち、少なくとも上辺および下辺の何れか一方を、当該カーテンを窓に設けた状態で、これら上辺および下辺と対向する、窓の上辺対向部および下辺対向部と接して設け、カーテンと窓との間の窓際空間のうち、少なくとも上部または下部を、室内空間と連通しないように、連通を遮断しているので、カーテンと窓との間の窓際空間で発生する冷気や熱気が室内空間に循環するのを防止して、カーテンの優れた断熱性や保温性を生かすことができる。
【図面の簡単な説明】
【００２０】
【図１】（ａ）は本発明に係るカーテン構造に用いられるカーテンの全体構成の概略を示す分解斜視図、（ｂ）は同斜視図である。
【図２】掃き出し窓に適用した場合の本発明に係るカーテン構造であって、（ａ）は正面図、（ｂ）は断面図である。
【図３】腰窓に適用した場合の本発明に係るカーテン構造であって、（ａ）は正面図、（ｂ）は断面図である。
【図４】（ａ）および（ｂ）は、本発明に係るカーテンを通常に施工した場合の夏季および冬季のカーテン周辺の空気の流れを示す概略図である。
【図５】本発明に係るカーテン構造であって、（ａ）は内壁に係止具を設けた場合の部分拡大図、（ｂ）は額縁に係止具を設けた場合の部分拡大図、（ｃ）は窓枠に係止具を設けた場合の部分拡大図である。
【図６】（ａ）は他の実施の形態に係る本発明に係るカーテンを示す斜視図、（ｂ）は同カーテンを折り重ねて施工した状態を示す正面図、（ｃ）は同断面図である。
【図７】（ａ）はカーテンを折り重ねて掃き出し窓の上部を開放した状態の概略断面図、（ｂ）はカーテンを折り重ねて掃き出し窓の上部および下部を開放した状態の概略断面図、（ｃ）は折り重ねた状態のカーテンを窓に張り付けるタイプの係止具によって窓に取り付けた状態を示す概略断面図である。
【図８】本発明に係るカーテン構造であって、カーテンに既製の昇降装置を適用した状態を示す斜視図である。
【図９】（ａ）ないし（ｃ）は、本発明に係るカーテンを屋外に施工した状態を示す概略断面図である。
【図１０】本発明に係るカーテンの断熱性試験の装置を説明する概略図である。
【図１１】本発明に係るカーテンの断熱性試験の結果を示すグラフである。
【図１２】本発明に係るカーテンの保温性試験の装置を説明する概略図である。
【図１３】本発明に係るカーテンの保温性試験の結果を示すグラフである。
【図１４】本発明に係るカーテン構造の実用試験時の状態を説明する概略図である。
【図１５】本発明に係るカーテン構造およびその比較対象となるカーテン構造の夏季の断熱性および保温性の試験結果を示すグラフである。
【図１６】本発明に係るカーテン構造およびその比較対象となるカーテン構造の冬季の断熱性および保温性の試験結果を示すグラフである。
【発明を実施するための形態】
【００２１】
以下、本発明の実施の形態について図面を参照して説明する。
【００２２】
図１は、カーテン構造に用いられるカーテン１の全体構成の概略を示し、図２および図３は、同カーテン１によるカーテン構造の全体構成の概略を示している。
【００２３】
本発明に係るカーテン構造は、窓２の室内側にカーテン１を設けて構成されるカーテン構造であって、カーテン１は、少なくとも上辺の左右両端部に係止孔１０が設けられてなり、窓２の室内側の額縁３の上枠３ａの上方の内壁４の部分に係止孔１０に対応して設けた左右の係止具５の、軸状の係止片５１に、係止孔１０が係止されることによって、窓２を覆うように設けられている。
【００２４】
カーテン１は、発泡樹脂層１１の窓と対向する外面に金属箔層１２が設けられ、室内側の内面に布帛層１３が設けられて構成されている。
【００２５】
発泡樹脂層１１は、発泡ポリエチレン、発泡ポリウレタン、発泡ポリプロピレン、発泡ポリスチレンなどの発泡樹脂層からなるシート状に形成されたものを使用することができる。この発泡樹脂層１１の厚みとしては、０．８ｍｍ〜２．０ｍｍの範囲のものを使用することが好ましい。０．８ｍｍよりも厚みが薄い場合、十分な断熱効果が得られず、２．０ｍｍよりも厚みが厚い場合、十分なドレープ性が得られず、カーテン１全体がゴワつくこととなり、布帛層１３と複合しても居住空間に適した質感が得られない。また、この発泡樹脂層１１としては、各種のエアロゲルを使用しても良い。例えば、シリカエアロゲルの場合、半透明でありながら優れた断熱性が得られるため、屋外からの採光を取り入れながら優れた断熱性を発揮させることができる。
【００２６】
金属箔層１２としては、アルミニウム金属箔、ステンレス金属箔などの各種の金属箔を使用することができる。この中でもコスト面から、アルミニウム金属箔を使用することが好ましい。この金属箔層１２の厚みとしては、１０μｍ〜１４μｍの範囲のものを使用することが好ましい。１０μｍよりも厚みが薄い場合、金属箔層１２が発泡樹脂層１１から剥離し易くなり、十分な耐久性がえられず、１４μｍよりも厚みが厚い場合、十分なドレープ性や最適な剛軟性が得られず、カーテン１全体がゴワつくこととなり、布帛層１３と複合しても居住空間に適した質感が得られない。
【００２７】
布帛層１３としては、一般的にカーテン生地に使用されている綿や各種合成繊維やこれらの混紡からなる各種の織布を使用することができる。この布帛層１３としては、目付２０ｇ／ｍ２〜６０ｇ／ｍ２、特に３０ｇ／ｍ２〜３５ｇ／ｍ２ものを使用することが好ましい。 ２０ｇ／ｍ２よりも目付が小さい場合、生地の重みが不足するため、発泡樹脂層１１に負けてしまい、十分なドレープ性や最適な剛軟性が得られず、カーテン１全体がゴワつくこととなり、布帛層１３と複合しても居住空間に適した質感が得られない。６０ｇ／ｍ２よりも目付が大きい場合、発泡樹脂層１１から剥離し易くなり、十分な耐久性が得られない。この布帛層１３には、通常のカーテン生地と同様に染色、プリントが施されたものが使用される。
【００２８】
このカーテン１は、発泡樹脂層１１の外面側に金属箔層１２、内面側に布帛層１３を配置した状態で、発泡樹脂層１１の各面を加熱溶融させた後、ローラーなどで押圧して3層を融着によって一体化させることで構成することができる。この際、融着によって一体化しているため、接着剤を使用しない、または少量の接着剤の使用で一体化できることとなるので、ゴワつきが無く、耐久性に優れたカーテン１を構成することが可能となる。このカーテン１の上辺の両端部には、当該カーテン１を窓２に取り付けるための係止孔１０が設けられる。
【００２９】
このカーテン１によると、金属箔層１２によって外部からの直射日光を反射することができる。また、発泡樹脂層１１によって、断熱することができる。さらに、布帛層１３によって、通常のカーテン１と同様に意匠性に優れた染色やプリントが可能となる。また、布帛層１３が適度に居住空間の湿気を吸放湿するため、カーテン１が結露するような状況になったとしても、当該カーテン１にカビが発生したりすることも無く、快適に使用することができる。特に、布帛層１３として、吸放湿性や吸放湿発熱性に優れた機能性繊維を含んだ布帛を使用すると、この効果をより発揮させることができる。
【００３０】
なお、このカーテン１としては、金属箔層１２のさらに外側にメッシュ生地によるメッシュ層１４を構成したものであってもよい。このメッシュ生地についても上記した機能性繊維を用いることで、カーテン１と窓２との間の窓際空間Ｓの結露を防止することができる。
【００３１】
次にこのようにして構成されるカーテン１を利用したカーテン構造について説明する。
【００３２】
このカーテン１は、非常に優れた遮光性および断熱性を有するため、通常と同様にカーテン１を取り付けると、図４のような現象が起こる。すなわち、夏季には、カーテン１の金属箔層１３が、屋外からの直射日光を反射し、かつ窓２からの輻射熱を反射し、かつ、発泡樹脂層１２がこの熱が室内空間Ｒへと伝わるのを防止するため、カーテン１と窓２との間の窓際空間Ｓは、非常に高温になる。これに対して室内空間Ｒは、冷房などによって２５℃程度の低温に保たれているので、カーテン１を挟んで窓際空間Ｓと室内空間Ｒとの間には温度差を生じることとなる。この場合、室内空間Ｒの冷気は、カーテン１の下部の間隙から、窓際空間Ｓに流れ、窓際空間Ｓの熱気は、カーテン１の上部から室内空間Ｒへと流れることとなり、窓際空間Ｓと、室内空間Ｒとの間で活発な空気の循環が起こり、カーテン１の断熱効果が意味の無いものになってしまう。
【００３３】
したがって、夏季に使用する場合には、屋外から窓際空間Ｓに供給され続ける熱が室内空間Ｒへと流入しないように、少なくともカーテン１の上部で、窓際空間Ｓと室内空間Ｒとの間を遮断するようにしてカーテン１を取り付ける必要がある。もちろん、窓際空間Ｓと室内空間Ｒとの間を完全に遮断する形でカーテン１を取り付けることができればより好ましい。
【００３４】
また、冬季には、カーテン１の金属箔層１３が屋外からの輻射冷熱を反射し、かつ、発泡樹脂層１２がこの冷熱が室内空間Ｒへと伝わるのを防止するため、カーテン１と窓２との間の窓際空間Ｓは、非常に低温となる。これに対して室内空間Ｒは、暖房などによって２３℃程度の高温に保たれているので、カーテン１を挟んで窓際空間Ｓと室内空間Ｒとの間には温度差を生じることとなる。この場合、室内空間Ｒの熱気は、カーテン１の上部の間隙から、窓際空間Ｓに流れ、窓際空間Ｓの冷気は、カーテン１の下部から室内空間Ｒへと流れることとなり、窓際空間Ｓと、室内空間Ｒとの間では、夏季とは逆方向の活発な空気の循環が起こり、カーテン１の断熱効果が意味の無いものになってしまう。
【００３５】
したがって、冬季に使用する場合には、屋外から窓際空間Ｓに供給され続ける冷熱が室内空間Ｒへと流入しないように、少なくともカーテン１の下部で、窓際空間Ｓと室内空間Ｒとの間を遮断するようにしてカーテン１を取り付ける必要がある。もちろん、窓際空間Ｓと室内空間Ｒとの間を完全に遮断する形でカーテン１を取り付けることができればより好ましい。
【００３６】
特に、１年を通じて使用する場合は、窓際空間Ｓと室内空間Ｒとの間を完全に遮断する形でカーテン１を取り付けることが必要となる。
【００３７】
図２は、掃き出し窓２ａに、カーテン１を施工したカーテン構造を示している。
【００３８】
この掃き出し窓２ａにカーテン１を取り付けるには、掃き出し窓２ａの額縁３の上枠３ａの上方の内壁４の部分に、カーテン１の係止孔１０が係止可能な，軸状の係止片５１（傾斜係止片）を有する係止具５を係止孔１０に対応した位置関係で取り付ける。
【００３９】
この係止具５は、係止片５１と固定片５０とが側面視Ｖ字状となるように形成されており、固定片５０を内壁４に固定した状態で、係止片５１は、その基端部から先端部に向って、内壁４に対して上方に傾斜するように施工される。つまり、室内側の、自由端である先端部が、内壁４の部分より離れるように傾斜している。
【００４０】
したがって、この係止片５１にカーテン１の係止孔１０をそれぞれ係止させると、カーテン１は、係止孔１０が、傾斜した係止片５１上を係止片５１に沿って下方に滑り落ち、額縁３の上枠３ａに接した状態で施工されることとなる。この際、カーテン１は、額縁３の縦枠３ｂ，３ｂ間に納まる幅となるように一対のカーテン１，１を設けた状態で、これらカーテン１，１の係止孔１０に対応する内壁４の部位に係止具５が固定される。また、隣接するカーテン１同士の間には、隙間が生じないように隣接するカーテン１の端部は隣接またはオーバーラップするようにして設けられる。さらに、掃き出し窓２ａと対向するカーテン１の下部には、面ファスナ６のフックテープ６１を取り付けておき、このフックテープ６１と接合可能なループテープ６２を、カーテン１を施工した状態で当該フックテープ６１と対向する掃き出し窓２ａの室内側下縁部に設け、フックテープ６１とループテープ６２とを接合することで、カーテン１と掃き出し窓２ａとの間を接合し、窓際空間Ｓを、室内空間Ｒと遮断する。
【００４１】
なお、カーテン１にフックテープ６１を設け、掃き出し窓２ａの周縁部にループテープ６２を設けているが、カーテン１にループテープ６２を設け、窓２の周縁部にフックテープ６１を設けるものであってもよい。
【００４２】
このカーテン構造によると、直射日光が室内に入射して室温が上昇するような夏季であっても、カーテン１の金属箔層１３が日光を反射することとなるので、太陽光が室内に入射することによって室温が上昇するのを防止することができる。また、カーテン１の金属箔層１３が日光を反射することによって、カーテン１と掃き出し窓２ａとの間の窓際空間Ｓが加熱されることとなるが、カーテン１の発泡樹脂層１１が、優れた断熱性を発揮するので、カーテン１と掃き出し窓２ａとの間の窓際空間Ｓに籠もった熱気が室内空間Ｒ側に伝わることはなく、室内が加熱されるのを防止することができる。
【００４３】
また、カーテン１の断熱効果により、窓際空間Ｓの温度は高く、室内空間Ｒの温度は低く、カーテン１を挟んで両者間に温度差を生じるため、窓際空間Ｓの熱気は、カーテン１の上部から室内空間Ｒへと流入し、室内空間Ｒの冷気は、カーテン１の下部から窓際空間Ｓへと流入して空気の循環を起こそうとするが、カーテン１の上部は、額縁３の上枠３ａに接した状態で施工されているので、窓際空間Ｓの熱気が、カーテン１の上部から室内空間Ｒへと流入するのを防止することができる。また、カーテン１の下部は、面ファスナ６によって、カーテン１と掃き出し窓２ａとの間を接合し、窓際空間Ｓを、室内空間Ｒと遮断しているので、室内空間Ｒの冷気が、カーテン１の下部から窓際空間Ｓへと流入するのを防止することができる。
【００４４】
一方、冬季には、屋外の冷気によって掃き出し窓２ａが冷やされることにより、この掃き出し窓２ａからの輻射冷熱によって室内が冷却されることが懸念されるが、このカーテン構造によると、金属箔層１３が輻射冷熱を反射し、発泡樹脂層１１が断熱効果を発揮するため、掃き出し窓２ａからの冷気は、カーテン１によって止められることとなる。したがって、掃き出し窓２ａからの輻射冷熱によって室内が冷却されるのを防止することができる。また、室内の空気が掃き出し窓２ａで冷却されることにより、当該掃き出し窓２ａに結露水を発生することが懸念されるが、このカーテン構造によると、発泡樹脂層１１が断熱効果を発揮するため、室内の熱気が、カーテン１を介して掃き出し窓２ａに伝わるのを防止することができ、掃き出し窓２ａに結露水が発生するのを防止することができる。
【００４５】
また、カーテン１の断熱効果により、窓際空間Ｓの温度は低く、室内空間Ｒの温度は高く、カーテン１を挟んで両者間に温度差を生じるため、窓際空間Ｓの冷気は、カーテン１の下部から室内空間Ｒへと流入し、室内空間Ｒの熱気は、カーテン１の上部から窓際空間Ｓへと流入して空気の循環を起こそうとするが、カーテン１の上部は、額縁３の上枠３ａに接した状態で施工されているので、室内空間Ｒの熱気が、カーテン１の上部から窓際空間Ｓへと流入するのを防止することができる。また、カーテン１の下部は、面ファスナ６によって、カーテン１と掃き出し窓２ａとの間を接合し、窓際空間Ｓを、室内空間Ｒと遮断しているので、窓際空間Ｓの冷気が、カーテン１の下部から室内空間Ｒへと流入するのを防止することができる。
【００４６】
図３は、腰窓２ｂに、カーテン１を施工したカーテン構造を示している。
【００４７】
この腰窓２ｂにカーテン１を取り付けるには、腰窓２ｂの額縁３の上枠３ａの上方の内壁４の部分に、カーテン１の係止孔１０が係止可能である係止片５１を有する係止具５を取り付ける。
【００４８】
この係止具５は前記したものと同じように、固定片５０を内壁４に固定した状態で、係止片５１の基端部から先端部に向って、内壁４に対して上方に傾斜するように施工できるものが固定される。
【００４９】
また、カーテン１は、額縁３よりもひと回り大きいサイズに形成されたものが取り付けられる。係止具５の係止片５１にカーテン１の係止孔１０を係止させると、カーテン１は、係止孔１０が係止片５１を滑り落ち、額縁３の上枠３ａ、縦枠３ｂ，３ｂおよび下枠３ｃの全てに接した状態で施工されることとなる。この際、額縁３の上枠３ａ、縦枠３ｂ，３ｂおよび下枠３ｃの全てが面一であるため、これら全てに接した状態で施工されることとなるが、接触部分に面ファスナ６を設けてもよい。また、カーテン１の下辺の少なくとも左右両端部に係止孔１０を設け、この係止孔１０よりもひと回り大きな頭部を有し、この頭部から延び係止孔１０に挿通可能な軸状の係止片を有する、押しピンのような構成の係止具（図示商略）を内壁４または額縁３の下枠３ｃに設け、係止孔１０を前記係止片に係止させることでカーテン１の下部を内壁４または額縁３の下枠３ｃに接するように設けるものであってもよい。
【００５０】
このカーテン構造によると、直射日光が室内に入射して室温が上昇するような夏季であっても、カーテン１の金属箔層１３が日光を反射することとなるので、太陽光が室内に入射することによって室温が上昇するのを防止することができる。また、カーテン１の金属箔層１３が日光を反射することによって、カーテン１と腰窓２ｂとの間の窓際空間Ｓが加熱されることとなるが、カーテン１の発泡樹脂層１１が、優れた断熱性を発揮するので、カーテン１と腰窓２ｂとの間の窓際空間Ｓに籠もった熱気が室内空間Ｒ側に伝わることはなく、室内が加熱されるのを防止することができる。
【００５１】
また、カーテン１の断熱効果により、窓際空間Ｓの温度は高く、室内空間Ｒの温度は低く、カーテン１を挟んで両者間に温度差を生じるため、窓際空間Ｓの熱気は、カーテン１の上部から室内空間Ｒへと流入し、室内空間Ｒの冷気は、カーテン１の下部から窓際空間Ｓへと流入して空気の循環を起こそうとするが、カーテン１の周囲は、額縁３の上枠３ａ、縦枠３ｂ，３ｂおよび下枠３ｃの全てに接した状態で施工されているので、窓際空間Ｓの熱気が、カーテン１の上部から室内空間Ｒへと流入するのを防止することができ、室内空間Ｒの冷気が、カーテン１の下部から窓際空間Ｓへと流入するのを防止することができる。
【００５２】
一方、冬季には、屋外の冷気によって腰窓２ｂが冷やされることにより、この腰窓２ｂからの輻射冷熱によって室内が冷却されることが懸念されるが、このカーテン構造によると、金属箔層１３が輻射冷熱を反射し、発泡樹脂層１１が断熱効果を発揮するため、腰窓２ｂからの冷気は、カーテン１によって止められることとなる。したがって、腰窓２ｂからの輻射冷熱によって室内が冷却されるのを防止することができる。また、室内の空気が腰窓２ｂで冷却されることにより、当該腰窓２ｂに結露水を発生することが懸念されるが、このカーテン構造によると、発泡樹脂層１１が断熱効果を発揮するため、室内の熱気が、カーテン１を介して腰窓２ｂに伝わるのを防止することができ、腰窓２ｂに結露水が発生するのを防止することができる。
【００５３】
また、カーテン１の断熱効果により、窓際空間Ｓの温度は低く、室内空間Ｒの温度は高く、カーテン１を挟んで両者間に温度差を生じるため、窓際空間Ｓの冷気は、カーテン１の下部から室内空間Ｒへと流入し、室内空間Ｒの熱気は、カーテン１の上部から窓際空間Ｓへと流入して空気の循環を起こそうとするが、カーテン１の上部は、額縁３の上枠３ａ、縦枠３ｂ，３ｂおよび下枠３ｃの全てに接した状態で施工されているので、室内空間Ｒの熱気が、カーテン１の上部から窓際空間Ｓへと流入するのを防止することができ、窓際空間Ｓの冷気が、カーテン１の下部から室内空間Ｒへと流入するのを防止することができる。
【００５４】
なお、本実施の形態では、腰窓２ｂの額縁３を構成する上枠３ａ、縦枠３ｂ，３ｂおよび下枠３ｃが面一に構成されているため、これら額縁３よりもひと回り大きいサイズに形成したカーテン１は、額縁３の上枠３ａ、縦枠３ｂ，３ｂおよび下枠３ｃの全てに接した状態で施工できることとなるが、腰窓２ｂの下枠３ｃが、他の上枠３ａや縦枠３ｂよりも室内側に突出して窓台を構成しているような場合には、カーテン１を額縁３の全周にわたって接した状態で施工することができないので、前記した掃き出し窓２ａの構成と同様に、カーテン１は、額縁３の縦枠３ｂに納まる幅に施工し、上枠３ａのみを接した状態として下部は、面ファスナ６によって腰窓２ｂの室内側下縁部に接触させる構成とする。
【００５５】
また、図２および図３の構成において、カーテン１は、内壁４に設けた係止具５を介して施工するようになされているが、図５（ａ）に示すように、内壁４に係止具５を設ける以外にも、図５（ｂ）に示すように、額縁３に係止具５を設けるものであってもよいし、図５（ｃ）に示すように、窓２が室内側にオフセットされて施工されている場合には、窓２の窓枠２０またはガラス面２１（図示省略）に係止具５を設けるものであってもよい。
【００５６】
また、係止具５は、係止片５１と固定片５０とによって構成されているが、内壁４の基端部から先端部に向って上方に傾斜する係止片５１があればよいので、内壁４に対して斜めに釘のようなものを打ち付け、これを係止片５１とするものであってもよい。
【００５７】
さらに、このカーテン１は、遮光性に優れているため、使用によって室内が暗くなってしまう。したがって、図６に示すように、窓２を塞ぐカーテン１の一部を開放させるものであってもよい。このカーテン１は、上辺の左右両端部に設けられた係止孔１０より下であって、左右辺に沿った同じ高さ位置に高さ調整用の調整孔１０ａが設けられている。この調整孔１０ａを、係止具５の係止片５１に係止された係止孔１０の上からさらに係止させるようにして、折線（カーテン１を折り重ねることに形成される折目に対応する線）が左右方向に延びるようにカーテン１を折り重ねることで、窓２を塞いでいたカーテン１の下半部が開放されることとなり、ここから採光することができる。なお、窓２の両側部の中間部や、この中間部と上部との間に同じく係止片５１を設け、これら係止片５１に、図６と同様にして係止孔１０および調整孔１０ａを係止させれば、図７（ａ）に示すように、窓２の上半部を開放させたり、図７（ｂ）に示すように、窓２の上部および下部を開放させたりすることが可能となる。この際、内壁４や額縁３の縦枠３ａ，３ｂに係止具５を取り付けることが困難な場合は、図７（ｃ）に示すように、窓２のガラス面２１に直接吸着することができる吸盤５２を備えた係止具５ａを使用することで、折り重ねた状態となったカーテン１を、ガラス面２１において好きな位置に取り付け直すことができ、所望の位置を開放させることができる。上記した構成は、単に外部からの採光性の確保だけでなく、外部からの視線防止対策としても有効なものとなる。
【００５８】
なお、図６および図７では、係止片５１に調整孔１０ａを係止させることによってカーテン１を折り重ねるように構成されているが、図８に示すように、係止具５の上部に既存の昇降装置６を別途設け、この昇降装置６によって自在にカーテン１を昇降させることができるように構成したものであってもよい。この昇降装置６を使用する場合は、４５度カンチレバー法（ＪＩＳ  Ｌ１０９６）による押出距離と同じかそれ以上のピッチで、折線が左右方向に延びるように折り畳むように昇降装置６をセットすることが好ましい。例えば、押出距離が３００ｍｍの場合、３００ｍｍのピッチでセットすれば、１５０ｍｍ幅で折り畳んで行くことができる。ただし、この４５度カンチレバー法（ＪＩＳ  Ｌ１０９６）による押出距離が２００ｍｍ以下、好ましくは１７０ｍｍ以下であれば、ピッチを気にすることなく、通常のカーテンと同様に昇降装置６を使用することができる。
【００５９】
以上に示した各カーテン構造は、窓２の室内側にカーテン１を設けたものであるが、夏季の場合、加熱された窓２からの輻射熱よりも、窓２を通過する太陽光の輻射熱が大きいため、図９に示すように、金属箔層１３が太陽に向うようにして窓２の外にカーテン１を設けるものであってもよい。
【００６０】
−実施例１−
［カーテン構造］
厚さ２ｍｍの発泡ポリウレタンシートの室内側の面に、目付３２ｇ／ｍ２ の綿１００％からなる布帛を設け、室外側の面に、厚さ１２μｍのアルミニウムシートを設け、発泡ポリウレタンシートの両面を加熱溶融させた状態で、これら３層を重ね合わせて融着させた。アルミニウムシートの表面には、さらに厚さ０．２１μｍのナイロンメッシュシートを設けた。３層とナイロンメッシュシートとは、周縁部に帯状の布テープを縫製して一体化した。
【００６１】
このようして構成したカーテンの断熱性試験（赤外ランプ  ６０℃法）、保温性試験（冷気法）、紫外線遮蔽率について、一般財団法人  日本繊維製品品質技術センターで測定した。
【００６２】
［断熱性試験］
図１０に示すように、５４ｃｍ×５４ｃｍ×４５ｃｍの大きさの装置の一側面に設けられたガラス板面に、約５０ｃｍ×４０ｃｍの大きさの試験片を吊るし、ガラス板より約５０ｃｍ離れたところに赤外ランプを設置し、試験片の表側より８ｃｍの位置にブラックパネルを設け、ガラス面の反対側の壁面より４ｃｍの位置に温度センサーを設けた。
【００６３】
そして、赤外ランプを６０分間照射し、５分毎にブラックパネルの温度と試験槽内温度とを測定した。また、試験片を吊るさない空試験も同様の条件で実施し、下記の式から断熱効果（℃）および断熱効果率（％）を求めた。
【００６４】
断熱効果温度（℃）＝空試験の最大上昇温度（℃）−試験片試験の最大上昇温度（℃）
断熱効果率（％）＝（断熱効果温度（℃）／空試験の最大上昇温度（℃））×１００
結果を図１１に示す。
【００６５】
［保温性試験］
図１２に示すように、４３．５ｃｍ×４３．５ｃｍ×４８．５ｃｍの大きさ（内寸）に形成され、内部がガラス板によって冷気室と試験室とに分かれた装置の試験室側のガラス面に、約４５ｃｍ×４０ｃｍの大きさの試験片を取り付け、冷気室および試験室の温度を約２５℃に調整した。
【００６６】
そして、冷却装置を用いて冷気室内を６０分間冷却し、試験室内の温度変化を５分毎に測定した。また、試験片を使用しない空試験も同様の条件で実施し、下記の式から保温効果（℃）および保温効果率（％）を求めた。
【００６７】
保温効果（℃）＝空試験の最大下降温度（℃）−試験片試験の最大下降温度（℃）
保温効果率（％）＝（保温効果（℃）／空試験の最大下降温度（℃））×１００
結果を図１３に示す。
【００６８】
［紫外線遮蔽率］
（株）島津製作所製の紫外・可視・近赤外分光光度計ＵＶ−３６００に、積分球付属装置ＩＳＲ−３１００を取り付けたものにより測定した。バンドパスフィルター無し、測定波長領域２８０ｎｍ〜４００ｎｍで測定した。
【００６９】
測定結果は、紫外線遮蔽率（％）１００％であった。
【００７０】
以上の結果から、本発明に係るカーテン１は、優れた断熱性、保温性、紫外線遮蔽率が得られることが確認できた。
【００７１】
−実施例２−
［カーテン構造］
鉄骨鉄筋コンクリート構造で構成された７．３６平方メートル（２．３ｍ×３．２ｍ）の部屋の２．３ｍの壁面に、高さ１７０ｃｍ幅８０ｃｍの２枚の引違窓が設けられた掃出し窓を有する部屋の当該掃出し窓に、図２に示すカーテン構造と同様に実施例１で構成したカーテン１を取り付けた。図１４に示すように、掃出し窓の前に高さ５０ｃｍのテーブルを用意し、その上に温度計（シチズン社製８ＲＤ２０８：高精度デジタル温度計±１℃／±３％）を設け、この温度計に直接温風が当たらずに、部屋の対角線に向かって温風が噴き出すように、床上に設けたガスファンヒータ（大阪ガス株式会社製１４０−９３５２型）を使って部屋を暖めた。
【００７２】
外気温３．８℃、室内温度１４．５℃、ガスファンヒータの設定温度２２℃でファンヒータの運転を開始し、温度の経時的変化を測定した。また、ファンヒータのインバータの状態を確認した。
【００７３】
結果を表１に示す。
【００７４】
【表１】
2016152031.tif 000003
【００７５】
また、比較対象として一般的なカーテンレールに、通常の厚手のドレープ生地で構成されたカーテン構造の場合と比較した。
【００７６】
結果を表２に示す。
【００７７】
【表２】
2016152031.tif 000004
【００７８】
以上の結果から、一般的なカーテン構造の場合は、スタートから約２５分で目標温度に到達したのに対し、本発明に係るカーテン構造の場合、スタートから約１５分で目標温度に到達することができた。これにより、本願発明のカーテン構造は、一般的なカーテン構造の約６割の時間とエネルギーで目標温度に到達することができることが確認できた。
【００７９】
しかも、目標温度に到達後は、一般的なカーテン構造の場合は、断続的に常にファンヒータが運転されてエネルギー消費しているのに対し、本願発明に係るカーテン構造の場合は、ファンヒータが運転することなく、スタートから約１時間は温度を保つことができることが確認できた。
【００８０】
−実施例３−
図２に示すカーテン構造と同様に実施例１で構成したカーテン１を取り付けた本願発明に係るカーテン構造を構成した。外気温が３２〜３３℃となった夏季の日中の最も暑い時間帯において、室内のエアーコンディショナーの温度設定を２６℃にして冷房を行った。２６℃に到達後、冷房を停止し、室温の経時的変化を測定した。温度測定は実施例２と同様に行った。
【００８１】
比較対象１として実施例２と同様に一般的なカーテンレールに、通常の厚手のドレープ生地で構成されたカーテン構造の場合と比較した。また、比較対象２として一般的なカーテンレールに、実施例１で構成したカーテン１を取り付けてカーテン１と掃出し窓との間に隙間が設けられた状態となったカーテン構造の場合とも比較した。
【００８２】
結果を図１５に示す。図１５のグラフから、本発明に係るカーテン構造は、比較対象１および比較対象２と比べて、室内の温度上昇が抑えられ、室内の冷却状態がより保たれていることが確認できた。これは、カーテン１が掃出し窓からの輻射熱を反射して室内への輻射熱の侵入を防止することで優れた断熱効果を発揮したことによるものと考えられる。また、比較対象２の結果から、カーテン１が掃出し窓からの輻射熱を反射しても、当該カーテン１と掃出し窓との間に隙間が設けられた状態となっていれば、その隙間から室内へと熱気が流れ込むこととなり、カーテン１の断熱効果、室内の保温効果は十分に発揮されていないことが確認できた。なお、実施例３において、カーテン１の下部で窓際空間Ｓと室内空間Ｒとが遮断されていない場合についても同様の測定を行ったが、測定期間内では、実施例３よりも若干劣る結果となっただけで、比較対象１および比較対象２と比べて優れた断熱効果および保温効果が確認できた。
【００８３】
−実施例４−
図２に示すカーテン構造と同様に実施例１で構成したカーテン１を取り付けた本願発明に係るカーテン構造を構成した。外気温が−１〜１℃となった冬季の夜中の最も冷え込んだ時間帯において、室内のガスファンヒーターの温度設定を２２℃にして暖房を行った。２２℃に到達後、暖房を停止し、室温の経時的変化を測定した。温度測定やガスファンヒーターは実施例２と同様のものを使用して行った。
【００８４】
比較対象１として実施例２と同様に一般的なカーテンレールに、通常の厚手のドレープ生地で構成されたカーテン構造の場合と比較した。また、比較対象２として一般的なカーテンレールに、実施例１で構成したカーテン１を取り付けてカーテン１と掃出し窓との間に隙間が設けられた状態となったカーテン構造の場合とも比較した。
【００８５】
結果を図１６に示す。図１６のグラフから、本発明に係るカーテン構造は、比較対象１および比較対象２と比べて、室内の温度低下が抑えられ、室内の暖房状態がより保たれていることが確認できた。これは、カーテン１が掃出し窓からの輻射冷熱を反射して室内への輻射冷熱の侵入を防止することで優れた断熱効果を発揮したことによるものと考えられる。また、比較対象２の結果から、カーテン１が掃出し窓からの輻射冷熱を反射しても、当該カーテン１と掃出し窓との間に隙間が設けられた状態となっていれば、その隙間から室内へと冷気が流れ込むこととなり、カーテン１の断熱効果、室内の保温効果は十分に発揮されていないことが確認できた。なお、実施例４において、カーテン１の上部で窓際空間Ｓと室内空間Ｒとが遮断されていない場合についても同様の測定を行ったが、測定期間内では、実施例４よりも若干劣る結果となっただけで、比較対象１および比較対象２と比べて優れた断熱効果および保温効果が確認できた。
【００８６】
なお、本発明は、その精神または主要な特徴から逸脱することなく、他のいろいろな形で実施することができる。そのため、上述の実施例はあらゆる点で単なる例示に過ぎず、限定的に解釈してはならない。本発明の範囲は特許請求の範囲によって示すものであって、明細書本文には、なんら拘束されない。さらに、特許請求の範囲に属する変形や変更は、全て本発明の範囲内のものである。
【符号の説明】
【００８７】
１  カーテン
１０  係止孔
１０ａ  調整孔
１１  発泡樹脂層
１２  金属箔層
１３  布帛層
１４  メッシュ層
２  窓
２ａ  掃き出し窓
２ｂ  腰窓
３  額縁
４  内壁
５  係止具
５１  係止片
【図１】
2016152031.tif 000005
【図２】
2016152031.tif 000006
【図３】
2016152031.tif 000007
【図４】
2016152031.tif 000008
【図５】
2016152031.tif 000009
【図６】
2016152031.tif 000010
【図７】
2016152031.tif 000011
【図８】
2016152031.tif 000012
【図９】
2016152031.tif 000013
【図１０】
2016152031.tif 000014
【図１１】
2016152031.tif 000015
【図１２】
2016152031.tif 000016
【図１３】
2016152031.tif 000017
【図１４】
2016152031.tif 000018
【図１５】
2016152031.tif 000019
【図１６】
2016152031.tif 000020
【国際調査報告】
2016152031.tif 000021
2016152031.tif 000022
2016152031.tif 000023
2016152031.tif 000024